(57)【要約】【課題】  試験弾器本体に装着されている試験用プラグが誤って引き抜かれたり、外れたりしないようにすること。【解決手段】  試験用プラグ２１のプラグ本体２２には、係止爪部材２５が取り付けられている。複数のピン窓１５ａが形成された試験弾器本体１１の窓フレーム１５には、係止用凹部１５ｂが形成されている。係止爪部材２５はプラグ本体２２の両側面に一体に形成された片持ち梁状部材で、自由端には係止爪部２５ａが形成され、且つ固定端にはプラグ本体２２の両側面に固着される突起状支点部２５ｂが形成されている。試験用プラグ２１が試験弾器本体１１に装着されると、係止爪部２５ａが係止用凹部１５ｂに係合し、試験用プラグ２１は試験弾器本体１１にロックされる。【選択図】  図1
2005192117.tif 000002
【特許請求の範囲】
【請求項１】
複数のピン窓が高密度に形成された窓フレームを有する試験弾器本体と断線用ピンがプラグ本体に固定された試験用プラグとからなる試験弾器において、前記試験用プラグのプラグ本体に係止爪部材を取り付け、且つ前記試験用プラグを前記試験弾器本体に装着したときに前記係止爪部材の係止爪部が係合する係止用凹部を前記試験弾器本体の窓フレームに形成したことを特徴とする試験弾器。
【請求項２】
前記係止爪部材は前記プラグ本体の側面の一方又は両方に取り付けられていることを特徴とする請求項１の試験弾器。
【請求項３】
前記係止爪部材は固定端を支点部として前記プラグ本体の側面に固着された片持ち梁状部材であって、前記プラグ本体の側面に沿って延伸した自由端に係止爪部が形成された部材であることを特徴とする請求項１又は２の試験弾器。
【請求項４】
前記係止爪部材は支点部から前記係止爪部と反対側に短く延伸した操作端部を有するものであることを特徴とする請求項２又は３の試験弾器。
【請求項５】
前記係止爪部はロック形状又は半ロック形状であることを特徴とする請求項１又は３の試験弾器。
【請求項６】
前記試験用プラグのプラグ本体はプラスチック製であって、前記係止爪部材はプラグ本体と一体に成型して形成されたものであることを特徴とする請求項１、２、３、４のいずれかの試験弾器。
【発明の詳細な説明】
【技術分野】
【０００１】
本発明は、試験弾器本体と試験用プラグとからなる試験弾器に関し、特に、試験弾器本体と試験用プラグとの接続構造に関する。
【背景技術】
【０００２】
試験弾器は特開平１１−８８９１７号公報（特許文献１）に開示されている如く、電話交換所において線路側の通信線と電話交換機側との間に配置され、線路側と交換機側との間を切り分け可能にして、例えば故障の所在が通信線側にあるのか電話交換所側にあるのかの判断を行うために用いられ、或いは切り分け部の接点間に試験用プラグを差し込んで試験器と接続し、通信回線の絶縁状態の確認試験、容量が十分か否かの試験、回線抵抗試験、電話機の機能試験などの各種の試験を行うために用いられる装置である。
【０００３】
試験弾器は、例えば実公平６−４４２７８号公報（特許文献２）に示す如く、通信機器用保安器の一部に試験弾器ユニットとして組み込まれて使用される。通信機器用保安器は、通信回線に誘導或いは混触等によって侵入してくる過電圧・過電流が通信機器に流入するのを防止し通信回線の切り分けを行い、且つ通信回線の入出力接続処理を能率的に行う装置である。
【０００４】
試験弾器本体は、特許文献２に示す如く、個別試験弾器を集積してモジュール化して８回線用の試験弾器本体を構成したものである。試験弾器本体の内部には、個別のピン窓ごとに一対のばね板からなる静止合掌ばね接点が配置されている。前記一対のばね接点は、実公平８−３９９５号公報（特許文献３）に示す如き構造のばね接点である。即ち、この静止合掌ばね接点は、通常時は物理的にも電気的にも接続状態となっており、断線用プラグが試験弾器本体に装着されると、ピン窓に挿入された断線用ピンが静止合掌ばね接点を物理的に分離する。或いは、この静止合掌ばね接点は、試験用プラグが試験弾器本体に装着されると、ピン窓に挿入された断線用ピンが静止合掌ばね接点を物理的に分離し、且つ外部の試験器を介して電気的に接続する。
【０００５】
ここで、図４と図５を参照して、試験弾器本体１１と試験用プラグ２１とからなる従来の試験弾器を説明する。試験弾器本体１１は、図４（Ａ）に示す如く、絶縁基体１４に保持された１６個の端子１２と、１６個の静止合掌ばね接点１３を有する。試験弾器本体１１は、更に図４（Ｂ）に示す如く、１列に８個で上下２列、合計１６個のピン窓１５ａが形成された窓フレーム１５を有する。通信機器の小型化、高密度化に伴って、モジュール化された試験弾器本体においても窓フレーム１５には多数のピン窓１５ａが高密度に配置されている。このように構成された試験弾器において、試験弾器本体１１に試験用プラグ２１が装着される前の状態と装着後の状態を示したものが図５（Ａ）と（Ｂ）である。なお、図５の窓フレーム１５の断面図は、図４（Ｂ）のＸ−Ｘで切断したものである。
【０００６】
ピン窓に挿入された試験用プラグの断線用ピンは、静止合掌ばね接点によって弾性的に挟持され、挿入位置に保持される。ところが、断線用ピンが静止合掌ばね接点の弾性力によって挟持されている試験用プラグは、簡単に引き抜くことができる。このため、作業員が作業中に誤って試験用プラグを試験弾器本体から引き抜いてしまうという問題があった。試験用プラグは指先ほどの小型の電子部品であり、試験弾器本体の窓フレームに形成された複数の窓は高密度に配置されているから、注意しても作業ミスが起こり得るのである。
【０００７】
【特許文献１】特開平１１−８８９１７号公報
【特許文献２】実公平６−４４２７８号公報
【特許文献３】実公平８−３９９５号公報
【発明の開示】
【発明が解決しようとする課題】
【０００８】
本発明が解決しようとする課題は、複数のピン窓が高密度に配置された窓フレームを有する試験弾器本体と断線用ピンがプラグ本体に固定された試験用プラグとからなる試験弾器において、試験弾器本体に装着されている試験用プラグが誤って引き抜かれたり、外れたりしないようにすることである。
【課題を解決するための手段】
【０００９】
上述の課題を解決するために、複数のピン窓が形成された窓フレームを有する試験弾器本体と断線用ピンがプラグ本体に固定された試験用プラグとからなる試験弾器において、前記試験用プラグのプラグ本体に片持ち梁状の係止爪を取り付け、且つ前記試験弾器本体の窓フレームに係止用凹部を形成した。
【発明の効果】
【００１０】
本発明において、試験用プラグを試験弾器本体に装着すると、前記試験用プラグのプラグ本体に取り付けられている係止爪が前記試験弾器本体の窓フレームに形成された係止用凹部に係合し、前記試験用プラグを前記試験弾器本体にロック又は半ロックする。従って、試験弾器本体に装着された試験用プラグが前記試験弾器本体から誤って引き抜かれたり、外れたりする恐れがなくなった。
【発明を実施するための最良の形態】
【００１１】
本発明に係る試験弾器は、複数のピン窓が高密度に形成された窓フレームを有する試験弾器本体と断線用ピンがプラグ本体に固定された試験用プラグとからなる試験弾器において、自由端に係止爪部が形成された片持ち梁状部材の固定端を支点とするようにして前記試験用プラグのプラグ本体の側面に固着し、且つ前記試験弾器本体の窓フレームに係止用凹部を形成した。このような構成によって、前記断線用ピンを前記窓フレームに挿入して試験用プラグを試験弾器本体に装着したときに、前記係止爪部は前記係止用凹部に係合し、前記試験用プラグは前記試験弾器本体にロック又は半ロックされる。
【実施例】
【００１２】
図１の本発明の実施例は、試験弾器本体１１と試験用プラグ２１とからなる試験弾器である。試験弾器本体１１は、個別試験弾器を集積してモジュール化して１６回線用の試験弾器本体を構成したものである。試験弾器本体１１は、図１（Ａ）に示す如く、絶縁基体１４に保持された３２個の端子１２と、３２個の静止合掌ばね接点１３を有する。試験弾器本体１１は、更に図１（Ｂ）に示す如く、１列に１６個で上下２列の合計３２個のピン窓１５ａが形成された窓フレーム１５を有する。ピン窓１５ａの列と列の間隔は、試験用プラグ２１の一対の断線用ピン２３、２３の間隔に等しい。通信機器の小型化、高密度化に伴って、モジュール化された試験弾器本体においても窓フレーム１５には多数のピン窓１５ａが高密度に配置されている。
【００１３】
試験用プラグ２１のプラグ本体２２には、係止爪部材２５が取り付けられている。係止爪部材２５はプラスチックのプラグ本体２２の両側面に一体に形成された一対の片持ち梁状部材である。片持ち梁状部材の係止爪部材２５の自由端はプラグ本体２２の側面に沿って突起状支点部２５ｂから延伸し、その先端には係止爪部２５ａが形成されている。片持ち梁状部材の係止爪部材２５の固定端はプラグ本体２２の側面の中央部に形成された突起状支点部２５ｂを形成している。また片持ち梁状部材の係止爪部材２５は、係止爪部２５ａの反対側に短く延伸した操作端部２５ｃを有する。片持ち梁状部材の係止爪部材２５において、その操作端部２５ｃをプラグ本体２２の側面方向に押えると、その自由端部に形成された係止爪部２５ａはプラグ本体２２の側面から離れる方向に移動する。
【００１４】
係止爪部材２５の係止爪部２５ａは、図３に示す如く様々なものがある。即ち、内側が直角な断面が三角形のもの（Ａ）、断面が正三角形のもの（Ｂ）、断面が半円形のもの（Ｃ）が代表的なものである。（Ａ）に示す形状の係止爪部２５ａを備えた係止爪部材２５はロックを行うためのものであり、（Ｂ）と（Ｃ）示す形状の係止爪部２５ａを備えた係止爪部材２５は半ロックを行うためのものである。（Ｂ）と（Ｃ）示す形状の係止爪部２５ａを備えた係止爪部材２５においては、操作端部２５ｃは必ずしも必要ではない。ここに、半ロックとは係止爪部材２５を操作することなしに、作業員が強く引っ張ることによって試験用プラグ２１を試験弾器本体１１から引き抜くことができるような状態で、試験用プラグ２１が試験弾器本体１１に装着されロックされている状態のことである。
【００１５】
上述の如き係止爪部材２５を備えた試験用プラグ２１が装着される試験弾器本体１１においては、窓フレーム１５には係止爪部２５ａが係合する係止用凹部１５ｂが形成されている。係止用凹部１５ｂは、窓フレーム１５の両端の側面に沿って切り込まれた細い溝である。この溝の奥は窓フレーム１５の内側の部屋に貫通し、ロック孔を形成している。係止用凹部１５ｂは、１個の個別試験弾器について２個ずつ、合計３２個が窓フレーム１５に形成されている。
【００１６】
このように構成された試験弾器において、試験弾器本体１１に係止爪部材２５を備えた試験用プラグ２１が装着される前の状態と装着後の状態を示したものが図５（Ａ）と（Ｂ）である。なお、図２の窓フレーム１５の断面図は、図１（Ｂ）のＸ−Ｘで切断したものである。
【００１７】
係止爪部材２５を備えた試験用プラグ２１の断線用ピン２３は、窓フレーム１５のピン窓１５ａに挿入さると、静止合掌ばね接点１３によって弾性的に挟持され挿入位置に保持される。同時に、試験用プラグ２１の係止爪部材２５は、窓フレーム１５の係止用凹部１５ｂに係合し、ロックされる。従って、作業員が作業中に誤って試験用プラグ２１を試験弾器本体１１から引き抜いてしまうという事故とは防止されるようになった。
【００１８】
以上、係止爪部材２５がプラグ本体２２の両側面に一体に形成された試験用プラグ２１と、両端に係止用凹部１５ｂが形成された窓フレーム１５を有する試験弾器本体１１からなる試験弾器の実施例を詳細に説明したが、本発明はこのような実施例に限定されるものではない。例えば、係止爪部材２５がプラグ本体２２の一方の側面に一体に形成された試験用プラグ２１と、対応する端部に係止用凹部１５ｂが形成された窓フレーム１５を有する試験弾器本体１１で本発明に係る試験弾器を構成することもできる。
【図面の簡単な説明】
【００１９】
【図１】本発明の一実施例の試験弾器の側面図（Ａ）と正面図（Ｂ）である。
【図２】本発明の一実施例の試験弾器において、試験弾器本体の窓フレームに試験用プラグが装着される前の断面図（Ａ）と装着された後の断面図（Ｂ）である。但し、窓フレームの断面図は図１（Ｂ）のＸ−Ｘで切断したものである。
【図３】試験用プラグの係止爪部材の係止爪部の３種類の形状を示したものである。
【図４】従来の試験弾器の側面図（Ａ）と正面図（Ｂ）である。
【図５】従来の試験弾器において、試験弾器本体の窓フレームに試験用プラグが装着される前の断面図（Ａ）と装着された後の断面図（Ｂ）である。但し、窓フレームの断面図は図４（Ｂ）のＸ−Ｘで切断したものである。
【符号の説明】
【００２０】
１１  試験弾器本体
１２  端子
１３  静止合掌ばね接点
１４  絶縁基体
１５  窓フレーム
１５ａ  ピン窓
１５ｂ  係止用凹部
２１  試験用プラグ
２２  プラグ本体
２３  断線用ピン
２４  ケーブル
２５  係止爪部材
２５ａ  係止爪部
２５ｂ  突起状支点部
２５ｃ  操作端部
【図１】
2005192117.tif 000003
【図２】
2005192117.tif 000004
【図３】
2005192117.tif 000005
【図４】
2005192117.tif 000006
【図５】
2005192117.tif 000007